(57)【要約】      （修正有）【課題】屋外において、１枚の太陽電池モジュールを簡単かつ安価に支持して太陽光発電による電気を得るとともに、テーブルとして使用するソーラーテーブルを提供する。【解決手段】１枚の太陽電池モジュール２と、各辺にガイド溝が長手方向に形成された断面方形の連結フレーム３，３Ａと、交差する連結フレーム３，３Ａの交差部に配設可能な連結材、連結フレーム３，３Ａのガイド溝に嵌挿したナット、該ナットにねじ止め可能なボルト４３からなる連結部材４と、連結フレーム３Ａに配設可能な支持材５とから構成され、４本の連結フレーム３Ａを連結部材４を介して枠組みし、その内面に支持材５を固定して太陽電池モジュール２を収納し、支持する支持枠１０を形成し、対向する一対の連結フレーム３Ａに支柱１３として連結フレーム３を連結部材４を介して立設し、支柱１３の下端に支持脚１４として連結フレーム３を連結部材４を介して固定する。【選択図】図３
0003186279.tif 000002
【実用新案登録請求の範囲】
【請求項１】
方形状の太陽電池パネル及びその周囲に装着された枠材からなる１枚の太陽電池モジュールと、各辺に略あり状のガイド溝が長手方向に形成された断面方形の複数本の連結フレームと、交差する連結フレームの交差部に配設可能な複数個の連結材、連結フレームのガイド溝に沿って移動自在に嵌挿された複数個のナット、該ナットにねじ止め可能な複数本のボルトからなる連結部材と、連結フレームに配設可能な支持材とから構成され、
太陽電池モジュールの縦横寸法に対応する内寸の支持枠が４本の連結フレームをそれらの交差部においてそれぞれ連結部材を介して互いに固定して形成され、また、支持枠を構成する対向する一対の連結フレームにそれぞれ連結部材を介して支柱としての１本又は複数本の連結フレームが立設され、さらに、立設された１本又は複数本の連結フレームにそれぞれ連結部材を介して支持脚としての連結フレームが固定されてなり、支持枠を構成する少なくとも対向する一対の連結フレームの内面に１個又は複数個の支持材がボルトナットを介してそれぞれ固定され、太陽電池モジュールが支持枠の支持材に載置されることを特徴とするソーラーテーブル。
【請求項２】
請求項１に記載のソーラーテーブルにおいて、前記支持脚としての一対の連結フレームに連結部材を介して補強脚としての１本又は複数本の連結フレームが固定されることを特徴とするソーラーテーブル。
【請求項３】
請求項１または２に記載のソーラーテーブルにおいて、前記任意の連結フレームのガイド溝にＬＥＤテープが配設され、該ＬＥＤテープに太陽電池モジュールで発電された電気が直接または間接的に供給されることを特徴とするソーラーテーブル。
【請求項４】
請求項１乃至３の何れか一つに記載のソーラーテーブルにおいて、前記太陽電池モジュールが少なくとも一つの支持材に専用工具でのみ回転操作可能なボルトを介してねじ結合されることを特徴とするソーラーテーブル。
【考案の詳細な説明】
【技術分野】
【０００１】
この考案は、ソーラーテーブルに関するものである。
【背景技術】
【０００２】
近年、再生可能エネルギーとして太陽光発電が広く利用されるようになっており、家屋の屋根を始めとして様々な場所に太陽電池モジュールが設置されている。例えば、屋外において、電線を敷設することなく電気を供給できることから、カーポート等の照明等に利用することが提案されている（例えば、特許文献１，２参照）。
【先行技術文献】
【特許文献】
【０００３】
【特許文献１】特開平１１−３０３４３９号公報
【特許文献２】特開２００１−５５７８２号公報
【考案の概要】
【考案が解決しようとする課題】
【０００４】
このような太陽電池モジュールは、梁や柱等の構成要素を組み合わせて構築物を構築するとともに、その屋根に設置されている。つまり、建物の施工業者が専用の梁や柱等を用いて構築物を構築し、その屋根材の一部に太陽電池モジュールを設置する構成が採用されている。このため、部品点数が増加するとともに、コストがかさむという欠点があった。また、構造が大型になることが避けられず、家庭の庭等、狭小な空簡に設置することは困難であった。
【０００５】
本考案は、このような問題点に鑑みてなされたもので、屋外において、テーブルとして使用できるとともに、１枚の太陽電池モジュールを簡単かつ安価に支持して太陽光発電による電気を得ることのできるソーラーテーブルを提供するものである。
【課題を解決するための手段】
【０００６】
本考案は、方形状の太陽電池パネル及びその周囲に装着された枠材からなる１枚の太陽電池モジュールと、各辺に略あり状のガイド溝が長手方向に形成された断面方形の複数本の連結フレームと、交差する連結フレームの交差部に配設可能な複数個の連結材、連結フレームのガイド溝に沿って移動自在に嵌挿された複数個のナット、該ナットにねじ止め可能な複数本のボルトからなる連結部材と、連結フレームに配設可能な支持材とから構成され、太陽電池モジュールの縦横寸法に対応する内寸の支持枠が４本の連結フレームをそれらの交差部においてそれぞれ連結部材を介して互いに固定して形成され、また、支持枠を構成する対向する一対の連結フレームにそれぞれ連結部材を介して支柱としての１本又は複数本の連結フレームが立設され、さらに、立設された１本又は複数本の連結フレームにそれぞれ連結部材を介して支持脚としての連結フレームが固定されてなり、支持枠を構成する少なくとも対向する一対の連結フレームの内面に１個又は複数個の支持材がボルトナットを介してそれぞれ固定され、太陽電池モジュールが支持枠の支持材に載置されることを特徴とする。
【０００７】
本考案によれば、屋外において、テーブルとして使用できるとともに、１枚の太陽電池モジュールを簡単かつ安価な構造で支持して太陽光発電による電気を得ることが可能となり、バッテリー駆動の各種機器に対する充電ステーションとして利用したり、照明設備を付設して防犯灯や庭園灯等に利用することができる。
【０００８】
本考案において、前記支持脚としての一対の連結フレームに連結部材を介して補強脚としての１本又は複数本の連結フレームが固定されることが好ましい。これにより、一対の支持脚が補強脚を介して連結されるため、剛性を向上させて支柱の倒れを防止できる。
【０００９】
本考案において、前記任意の連結フレームのガイド溝にＬＥＤテープが配設され、該ＬＥＤテープに太陽電池モジュールで発電された電気が直接または間接的に供給されることが好ましい。これにより、照明設備の設置空間を必要とすることなく周囲を照明することが可能となる。
【００１０】
本考案において、前記太陽電池モジュールが少なくとも一つの支持材に専用工具でのみ回転操作可能なボルトを介してねじ結合されることが好ましい。これにより、太陽電池モジュールの紛失等を防止することができる。
【考案の効果】
【００１１】
本考案によれば、屋外において、テーブルとして使用できるとともに、１枚の太陽電池モジュールを簡単かつ安価に支持して太陽光発電による電気を得ることができる。
【図面の簡単な説明】
【００１２】
【図１】本考案のソーラーテーブルの一実施形態を示す斜視図である。
【図２】図１のソーラーテーブルのＡ−Ａ線断面図である。
【図３】図１のソーラーテーブルの分解斜視図である。
【図４】連結フレームと連結部材との関係を示す分解斜視図である。
【考案を実施するための形態】
【００１３】
以下、本考案の実施の形態を図面に基づいて説明する。
【００１４】
図１乃至図３には、本考案のソーラーテーブル１の一実施形態が示されている。
【００１５】
このソーラーテーブル１は、１枚の太陽電池モジュール２と、複数本の連結フレーム３，３Ａと、交差する連結フレーム３，３Ａを連結する連結部材４と、連結フレーム３Ａに固定されて太陽電池モジュール２を支持する支持材５とから構成されている。
【００１６】
太陽電池モジュール２は、矩形状に形成された太陽電池パネル２１及び該太陽電池パネル２１の周縁に装着された枠材２２から構成される従来公知の製品であって、太陽電池パネル２１の裏面には、電気を取り出すための端子ボックス及びケーブル（図示せず）が設けられている。
【００１７】
連結フレーム３，３Ａは、設定寸法に切断して使用されるアルミの引抜き成形品であって、断面方形に形成され、その各辺には、略あり状のガイド溝３ａが長手方向に沿って形成されている。
【００１８】
この場合、連結フレーム３は、各辺にそれぞれ１条のガイド溝３ａが形成された断面正方形状であり、連結フレーム３Ａは、対向する一対の辺にそれぞれ１条のガイド溝３ａが形成され、他の対向する一対の辺にそれぞれ２条のガイド溝３ａが形成された断面長方形状であって、本実施形態においては、後述するように、太陽電池モジュール２の支持枠１０には連結フレーム３Ａが採用され、支柱１３、支持脚１４及び補強脚１５には、連結フレーム３が採用されている。ただし、支柱１３等において、連結フレーム３Ａの使用を妨げるものではない。
【００１９】
連結部材４は、図４に示すように、Ｌ字状に形成された連結材４１と、連結フレーム３，３Ａのガイド溝３ａに対応して断面略台形状に形成され、雌ねじが形成されたナット４２と、該ナット４２の雌ねじにねじ結合可能な雄ねじが形成されたボルト（六角穴付き）４３とからなり、連結材４１の両端にはボルト４３を挿通可能な取付穴４１ａが形成されている。
【００２０】
ここで、ナット４２は、上方より見て、ガイド溝３ａの開口幅に略対応する横寸法と、ガイド溝３ａの幅に略相当する縦寸法とを有する平行四辺形に形成されている。また、ナット４２の上面には、ガイド溝３ａの開口幅に相当する間隔の段差部が形成されている。これにより、ナット４２にボルト４３をねじ結合し、ナット４２を開口を通してガイド溝３ａに挿入して長手方向に沿って任意の位置に移動させた後、ボルト４３をねじ込むと、ナット４２の長い側の対角線の頂点がガイド溝３ａの内面に接触して回転が阻止されるとともに、前述した段差部がガイド溝３ａの開口と平行に対向するように設定されている。すなわち、連結材４１の取付穴４１ａにボルト４３を挿通するとともに、ボルト４３にナット４２をねじ結合し、ナット４２を連結フレーム３，３Ａのガイド溝３ａの開口に沿わせてその内部に挿入した後、任意の位置に移動させてボルト４３を締付方向に回転させることにより、ガイド溝３ａからの抜け出しを防止する位置で回転を阻止してナット４２にねじ結合できることから、連結フレーム３，３Ａに連結材４１を固定することができる。この際、ナット４２の段差部がガイド溝３ａの開口に嵌まり込み、確実に回転が阻止されて位置決めされる。
【００２１】
支持材５は、垂直片及び水平片からなる断面Ｌ字状に形成され、垂直片には、ボルト４３を挿通可能な取付穴が形成されている。したがって、支持材５の垂直片の取付穴にボルト４３を挿通し、ボルト４３にナット４２をねじ結合した後、連結フレーム３Ａのガイド溝３ａにナット４２を挿入してボルト４３を締付方向に回転させることにより、連結フレーム３Ａに支持材５を固定することができる。
【００２２】
次に、太陽電池モジュール２、連結フレーム３，３Ａ、連結部材４、支持材５を用いてソーラーテーブル１を組み立てる要領を説明する。
【００２３】
まず、対向する一対の辺に２条のガイド溝３ａを形成した連結フレーム３Ａから太陽電池モジュール２の縦横寸法に対応する内寸の支持枠１０を形成する。具体的には、連結フレーム３Ａを、太陽電池モジュール２の長辺側寸法に対応する長さに切断して２本の長辺側支持フレーム１１を用意するとともに、太陽電池モジュール２の短辺側寸法に連結フレーム３Ａの幅寸法の２倍の長さを加えた長さに切断して２本の短辺側支持フレーム１２を用意する。次いで、２本の長辺側支持フレーム１１を縦長方向を上下方向に向けて太陽電池モジュール２の短辺側寸法に相当する間隔をおいて前後に配置するとともに、それらの左右各端部にそれぞれ短辺側支持フレーム１２を配置し、方形に枠組みする。
【００２４】
次いで、連結材４１の取付穴４１ａにボルト４３を挿通するとともに、ボルト４３にナット４２をねじ結合した後、直交する長辺側支持フレーム１１と短辺側支持フレーム１２との交差部において、下方のガイド溝３ａに合わせて連結材４１をあてがい、ナット４２をそれぞれ支持フレーム１１，１２の下方のガイド溝３ａにその開口を通して挿入する。そして、ボルト４３を六角レンチを用いてねじ込めば、ナット４２がボルト４３にねじ結合されて連結材４１を挟み込むことから、支持フレーム１１，１２を連結部材４を介して直交状態に互いに固定することができる。同様に、長辺側支持フレーム１１と短辺側支持フレーム１２との他の交差部においても、連結部材４を介して互いに直交状態に固定する。これにより、２本の長辺側支持フレーム１１及び２本の短辺側支持フレーム１２を方形に枠組みした支持枠１０を形成することができる。
【００２５】
また、支持枠１０を構成する各長辺側支持フレーム１１の内面に設定間隔をおいて複数個の支持材５を配置し、その取付孔に挿通されたボルト４３にねじ結合されたナット４２を下方のガイド溝３ａに挿入した後、ボルト４３をねじ込み、支持材５を固定する。
【００２６】
この場合、支持枠１０の長辺側支持フレーム１１に固定された支持材５の水平片の上面（支持面）は、連結材４１よりも若干上方に位置するとともに、該支持材５の水平片に太陽電池モジュール２を載置した際、太陽電池モジュール２の上面が支持枠１０を構成する支持フレーム１１，１２、すなわち、連結フレーム３Ａの上面と面一に位置するか、若干低く位置するように、太陽電池モジュール２の高さに基づいて設定されている。
【００２７】
なお、支持枠１０に固定される支持材５の数は、太陽電池モジュール２の寸法及び重量等に基づいて設定される。例えば、実施例においては、長辺側支持フレーム１１に長さ方向に間隔をおいて２個設けた場合を例示したが、短辺側支持フレーム１２に設けてもよく、両方の支持フレーム１１，１２にそれぞれ設けてもよい。
【００２８】
支持枠１０が形成されたならば、連結フレーム３を設定長さに切断して左右２本ずつ合計４本の支柱１３を用意し、左右各２本の支柱１３の上端面を、支持枠１０を構成する各短辺側支持フレーム１２における略中間部の下面に長手方向に設定間隔をおいてそれぞれ突き当て、それらの交差部において、連結材４１をあてがい、短辺側支持フレーム１２のガイド溝３ａ及び支柱１３のガイド溝３ａにナット４２をそれぞれ挿入するとともに、ボルト４３を順にねじ込み、短辺側支持フレーム１２，１２に対してそれぞれ２本の支柱１３を連結部材４を介して互いに固定する。
【００２９】
さらに、連結フレーム３を設定長さに切断して左右の支持脚１４を用意し、その略中間部の上面の設定位置に支柱１３の下端面を突き当て、それらの交差部において、連結材４１をあてがい、支持脚１４のガイド溝３ａ及び支柱１３のガイド溝３ａにナット４２をそれぞれ挿入するとともに、ボルト４３を順にねじ込み、左右２本の支柱１３，１３に対して左右の支持脚１４を連結部材４を介して互いに固定する。次いで、連結フレーム３を支持枠１０の長辺側内寸に相当する長さに切断して補強脚１５を用意し、その左右各端面を左右の支持脚１４の長さ方向略中間部の内側面にわたって配置し、左右の支持脚１４及び補強脚１５の交差部において、連結材４１をあてがい、その取付穴４１ａに挿通されたボルト４３にねじ結合されたナット４２を支持脚１４のガイド溝３ａ及び補強脚１５のガイド溝３ａにそれぞれ挿入し、それぞれボルト４３をねじ込んで各連結材４１を順に固定し、左右の支持脚１４に対して補強脚１５を連結部材４を介して互いに固定する。
【００３０】
この後、太陽電池モジュール２を支持枠１０内に落とし込めば、太陽電池モジュール２は、支持枠１０を構成する長辺側支持フレーム１１に固定された支持材５上に支持されることにより、ソーラーテーブル１を組み立てることができる。
【００３１】
これにより、昼間において、太陽電池モジュール２が太陽光発電を行なうことから、発電された電気をその場で消費したり、図示しないバッテリーに貯えて非常用電源として利用したり、別途照明設備を付設して夜間の照明等に利用することができる。すなわち、電力会社との契約を要することなく、かつ、架線工事を行なうことなく発電した電気を利用することができ、コストを削減することができる。
【００３２】
例えば、ソーラーテーブル１を家庭の庭等の他、キャンプ場、オープンカフェ、アミューズメントパーク、イベント会場や道の駅等の集客施設に設置することにより、テーブルとして利用することができるとともに、スマートフォン等の電子機器、電動自転車や電動車椅子等のバッテリーの充電ステーションとして利用したり、照明設備を付設して夜間における防犯灯や庭園灯等に活用することができる。
【００３３】
また、ソーラーテーブル１を太陽電池モジュール２、連結フレーム３，３Ａ、連結部材４、支持材５から形成できることから、構成部品を共通化して部品点数を削減することができるとともに、格別な技術を要することなく誰でも簡単かつ短時間に組み立てることができ、テーブルそのもののコストも削減することができる。
【００３４】
なお、照明設備としてＬＥＤテープを利用すると、ソーラーテーブル１を構成する任意の連結フレーム３，３Ａのガイド溝３ａに配設することができることから、新たな照明設備の設置空間を必要とせずに周囲を照明することができ、好ましい。この場合、ＬＥＤテープは、太陽電池モジュール２のケーブルに直接接続し、あるいは、発電した電力を蓄電するバッテリーに接続して使用することができる。
【００３５】
また、前述した実施形態においては、太陽電池モジュール２を支持枠１０に落とし込んで載置する場合を例示したが、紛失等を考慮して、専用工具によってのみ回転操作できる特殊ボルトを用いて支持材５にねじ結合することが好ましい。
【符号の説明】
【００３６】
１  ソーラーテーブル
２  太陽電池モジュール
２１  太陽電池パネル
２２  枠材
３，３Ａ  連結フレーム
４  連結部材
４１  連結材
４２  ナット
４２  ボルト
５  支持材
１０  支持枠
１１，１２  支持フレーム
１３  支柱
１４  支持脚
１５  補強脚
【図１】
0003186279.tif 000003
【図２】
0003186279.tif 000004
【図３】
0003186279.tif 000005
【図４】
0003186279.tif 000006